(57)【要約】【課題】伐採時に高木の倒れる方向を確実にして、安全性を高めることのできる高枝伐採補助具を提供する。【解決手段】支軸３を支点として互いに開閉可能に取り付けられ、先端にそれぞれ高枝を挟着するための第１鉤部１ａおよび第２鉤部２ａが形成された固定フック１および可動フック２と、固定フック１の基端部に設けられ、長尺杆１８を着脱可能に連結する長尺杆連結部４と、可動フック２を固定フック１に対して支軸３を支点として開閉操作する開閉手段とを有する高枝伐採補助具。前記開閉手段は、可動フック２の基端部に設けられたロープ固定部５と、固定フック１の基端部に設けられたロープ案内部６，７と、先端がロープ固定部５に固定され、中途部がロープ案内部６，７に案内され、基端部が長尺杆１８の基端部付近まで延びるロープ９とを有する。【選択図】  図２
2016073250.tif 000002
【特許請求の範囲】
【請求項１】
支軸を支点として互いに開閉可能に取り付けられ、先端にそれぞれ高枝を挟着するための第１鉤部および第２鉤部が形成された固定フックおよび可動フックと、
前記固定フックの基端部に設けられ、長尺杆を着脱可能に連結する長尺杆連結部と、
前記可動フックを前記固定フックに対して前記支軸を支点として開閉操作する開閉手段と
を有する高枝伐採補助具。
【請求項２】
前記開閉手段は、前記可動フックの基端部に設けられたロープ固定部と、前記固定フックの基端部に設けられたロープ案内部と、先端が前記ロープ固定部に固定され、中途部が前記ロープ案内部に案内され、基端部が前記長尺杆の基端部付近まで延びるロープとを有するものである請求項１記載の高枝伐採補助具。
【請求項３】
少なくとも前記固定フックと可動フックとが、軽量合金材で構成された請求項１または２に記載の高枝伐採補助具。
【発明の詳細な説明】
【技術分野】
【０００１】
本発明は、高速道路の本線側部の法面に繁茂する竹や高木の高枝伐採補助具に関する。
【背景技術】
【０００２】
高速道路の側方の草刈りや剪定は、従来の手作業による非効率を改善するために、特許文献１，２に記載されたような道路側方草刈装置や剪定装置が提案されている。
【先行技術文献】
【特許文献】
【０００３】
【特許文献１】特開２００１−１７８２３９号公報
【特許文献２】特開２００５−２１８３５８号公報
【発明の概要】
【発明が解決しようとする課題】
【０００４】
しかし、定期的に刈り取ったり剪定したりすることで手入れできる草花や低木とは異なり、高速道路の本線側部の法面に繁茂する孟宗竹や真竹、高木（以下、単に「高木」ということがある）は生長が早く、放置していると、しばしば本線への倒れ込みや倒木により、交通障害の原因になっている。
【０００５】
これを未然に防ぐために、交通管理隊や保守点検員の通報により、高木の伐採を行っているが、高木であるため、伐採時に、ひとつ間違うと倒れる方向性を失い、本線側への倒れによる一般車への危害を与えることになりかねない。そこで、車線規制による伐採や、高所作業車を使っての伐採を余儀なくされるケースがたびたび起こる。
【０００６】
そこで本発明は、伐採時に高木の倒れる方向を確実にして、安全性を高めることのできる高枝伐採補助具を提供することを目的とする。
【課題を解決するための手段】
【０００７】
高木の伐採時、高木の倒れる方向性を確実にするためには、なるべく上部に支点を設けて高枝を車線と平行な方向に引っ張り、その状態で高木を伐採することが重要である。
そこで竹類でも上部（６ｍ以上）へロープ掛けができるような器具の開発により、保守点検等の作業員２名で、発見した際、即座に作業ができ、規制や作業車を使用せず伐採できれば、安全性の向上と経費節減につながることから開発に至った。
【０００８】
本発明の第１の構成の高枝伐採補助具は、支軸を支点として互いに開閉可能に取り付けられ、先端にそれぞれ高枝を挟着するための第１鉤部および第２鉤部が形成された固定フックおよび可動フックと、
前記固定フックの基端部に設けられ、長尺杆を着脱可能に連結する長尺杆連結部と、
前記可動フックを前記固定フックに対して前記支軸を支点として開閉操作する開閉手段と
を有することを特徴とする。
【０００９】
本発明の第２の構成は、第１の構成において、前記開閉手段が、前記可動フックの基端部に設けられたロープ固定部と、前記固定フックの基端部に設けられたロープ案内部と、先端が前記ロープ固定部に固定され、中途部が前記ロープ案内部に案内され、基端部が前記長尺杆の基端部付近まで延びるロープとを有することを特徴とする。
【００１０】
本発明の第３の構成は、第１または第２の構成において、少なくとも前記固定フックと可動フックとが、主として軽量合金材で構成されたことを特徴とする。
【００１１】
本発明においては、前述の第１の構成の高枝伐採補助具を用いて、次の工程で高枝の伐採を行う。
（ａ）伐採しようとする高枝の上部に届く長さの長尺杆の先端に固定フックの基端部を連結する。
（ｂ）長尺杆の基部を持って先端の固定フックおよび可動フックを持ち上げ、高枝の上部または中途部を固定フックおよび可動フックの間に差し込む。
（ｃ）開閉手段を用いて、可動フックを固定フックに対して閉じ、固定フック先端の第１鉤部と可動フック先端の第２鉤部とで高枝の上部または中途部を挟着する。
（ｄ）開閉手段を閉操作したまま、高枝の上部または中途部を挟着している可動フックおよび固定フックを、倒したい方向すなわち道路の車線と平行な方向に引っ張った状態で、伐採工具を用いて高枝の根元を切断する。
これにより、高枝は伐採されたときに車線と平行な方向に倒れ、道路側に倒れることがない。
【００１２】
前述の第２の構成のように、開閉手段を、可動フックの基端部に設けられたロープ固定部と、固定フックの基端部に設けられたロープ案内部と、先端がロープ固定部に固定され、中途部がロープ案内部に案内され、基端部が長尺杆の基端部付近まで延びるロープとを有する構成とすることにより、固定フック先端の第１鉤部と可動フック先端の第２鉤部とで高枝の上部または中途部を挟着した後は、長尺杆を固定フックの基端部の長尺杆連結部から分離して取り外してもロープの基端を引いていれば固定フックと可動フックとで高枝を挟着した状態を維持できる。その状態でロープの基端を、高枝を倒したい方向に引っ張れば、高枝の根元を切断したときに高枝は引っ張った方向に倒れる。その引っ張り作業や切断作業時に、長尺杆が邪魔にならない。
【００１３】
前述の第３の構成のように、第１または第２の構成において、少なくとも前記固定フックと可動フックとを、主として軽量合金材で構成することにより、固定フック、可動フックを長尺杆の先端に取り付けての作業を、腕に大きな負担を掛けることなく実施することができる。
【発明の効果】
【００１４】
本発明によれば、支軸を支点として互いに開閉可能に取り付けられ、先端にそれぞれ高枝を挟着するための第１鉤部および第２鉤部が形成された固定フックおよび可動フックと、固定フックの基端部に設けられ、長尺杆を着脱可能に連結する長尺杆連結部と、可動フックを固定フックに対して支軸を支点として開閉操作する開閉手段とを有する高枝伐採補助具を用いて、伐採時に高木の倒れる方向を確実にして、安全性を高めることのできる高枝伐採を行うことができる。
【図面の簡単な説明】
【００１５】
【図１】本発明の実施の形態に係る高枝伐採補助具を示す正面図である。
【図２】本発明の実施の形態に係る高枝伐採補助具を長尺杆に取り付けた状態を示す正面図である。
【図３】（Ａ）〜（Ｅ）は、それぞれ本発明の実施の形態に係る高枝伐採補助具を用いた高枝伐採工程を示す図である。
【発明を実施するための形態】
【００１６】
以下、本発明の実施の形態を、図面を参照しながら具体的に説明する。
図１に示すように、本発明の実施の形態に係る高枝伐採補助具は、支軸３を支点として互いに開閉可能に取り付けられた固定フック１と可動フック２を有し、固定フック１の先端には第１鉤部１ａが、可動フック２の先端には第２鉤部２ａがそれぞれ形成されていて、可動フック２を固定フック１に対して支軸３を支点として閉じたときに、第１鉤部１ａと第２鉤部２ａとで高枝の先端部または中途部を挟着するようになっている。
【００１７】
固定フック１の基端部には、長尺杆を着脱可能に連結する長尺杆連結部４が設けられている。長尺杆連結部４の下部にはビス取り付け穴４ａとそれに連続したＬ字状の溝４ｂが形成されている。
【００１８】
可動フック２の基端部にはロープ固定穴５ａを有するロープ固定部５が溶接等で固定されている。また固定フック２の基端部より支軸３側には、ロープ通し穴６ａを有するロープ第１案内部６が固定されており、固定フック２の基端部には、ロープ第１案内部６よりも外側の位置においてロープ通し穴７ａを有するロープ第２案内部７が取付板８を介して固定されている。
【００１９】
ロープ固定部５のロープ固定穴５ａには、ロープ９の先端９ａが結び付けられ、ロープ第１案内部６のロープ通し穴６ａとロープ第２案内部７のロープ通し穴７ａを通して下方に垂らされている。
【００２０】
この、ロープ固定部４とロープ第１案内部６とロープ第２案内部７と、ロープ９とで、固定フック１と可動フック２の開閉手段が形成されている。
【００２１】
さらに、図１に示すように、固定フック１と可動フック２の、支軸３よりも先端側には、第１リンク１０と第２リンク１１が、それぞれボルト１３，１４，１５によって回動可能に連結されており、支軸３とも併せて、平行四辺形を呈する４節リンクが形成されている。
【００２２】
なお、固定フック１と可動フック２は、ボルト１３，１４より先端側で上下がねじれて交差するようになっており、第１鉤部１ａと第２鉤部２ａの上下関係が、固定フック１と可動フック２の上下関係とは逆になっている。
このために、フック先端が閉じた場合、挟み込んだ枝が抜けることができない。
固定フック１と可動フック２の支軸３より先端が交差していないと、支軸３が緩んだ場合、第１鉤部１ａと第２鉤部２ａの先端部の隙間から、挟んだ枝が抜ける場合がある。
【００２３】
ここで、第２リンク１１の端部には、押え板１２が固定されている。さらに固定フック１の内側には高枝の回り込み防止片１６が設けられ、可動フック２の内側には同じく高枝の回り込み突起１７が設けられている。
【００２４】
図２は、以上の構成の高枝伐採補助具を長尺杆１８に取り付けた状態を示すものであり、固定フック１の基端部の長尺杆連結部４に、長尺杆１８の先端が装着されている。長尺杆１８の先端にはビス１９が軽くネジ止めされており、ビス１９は、図１に示した長尺杆連結部４のＬ字状の溝４ｂを通してビス取り付け穴４ａの位置に回した状態で止められている。
【００２５】
図２に示されているように、ロープ９の長さは長尺杆１８の基端部付近まで伸びており、握り部９ｂが形成されている。長尺杆１８の長さは、伐採する高木の高さにもよるが、例えば６ｍ程度とすることができる。伸縮可能な構造の長尺杆１８とすることもできる。
【００２６】
使用に際しては、長尺杆１８を立てると、可動フック２の先端部の自重で、図２の実線の位置よりも可動フック２は固定フック１に対してもっと開き、第１鉤部１ａと第２鉤部２ａは図示しないが、開放した状態となる。
【００２７】
その開放した状態で、伐採すべき高枝の上部または中途部を第１鉤部１ａと第２鉤部２ａの間に通し、ロープ９の握り部９ｂを引いて可動フック２の基端を引っ張ると、可動フック２は支軸３を支点として回動し、一点鎖線で示すように高枝２０の幹を挟着することができる。高枝２０の幹の径は一定しないので、大径から小径まで挟むことができるように、第１鉤部１ａと第２鉤部２ａだけでなく、押え板１２、回り込み防止片１６、回り込み突起１７が設けられている。これらは、小径の幹の回り込みを防止するだけでなく、３箇所、４箇所で高枝２０の幹をしっかりと挟着する。
【００２８】
高枝２０の幹が高枝伐採補助具により挟着されたら、長尺杆１８を、図面上反時計回りに９０度ほど回転させ、ビス１９をビス取り付け穴４ａから離脱させ、Ｌ字状の溝４ｂから手前に引くと、長尺杆１８を取り外すことができる。
【００２９】
本実施例の高枝伐採補助具は、高所での作業時に重量が重いと作業者に負担が大きいので、ステンレスやアルミニウムよりも軽量な軽量合金、例えばマグネシウム合金を材料として用いることが好ましい。例えば、高枝伐採補助具をステンレス（比重８．０３）で作ると１．７５Ｋｇであるものを、マグネシウム合金（比重１．７８）で作ると約４００ｇになり、負担が大幅に軽減された。
【００３０】
長尺杆１８としては、軽量で堅牢な、一般的なアルミポールを用いることができる。
【００３１】
以下、図３（Ａ）〜（Ｅ）に示す図を用いて、高速道路側方法面の高枝伐採工程について説明する。
【００３２】
図３（Ａ）は、作業前の高速道路側方法面に高枝（竹）２０が伸びて道路側に張り出している状態を示す図である。
【００３３】
この高枝に対して、図３（Ｂ）に示すように、作業員が高速道路のガードレール内に入って、長尺杆１８の先に取り付けた高枝伐採補助具で高枝２０の中途部を挟み、高枝２０に高枝伐採補助具を引っ掛ける。
【００３４】
図３（Ｃ）は高枝伐採補助具を高枝２０に引っ掛けた状態を示す図であり、図３（Ｄ）はその拡大図である。
【００３５】
次に、図示しないが、高枝伐採補助具に取り付けてある長尺杆１８を長尺杆連結部４から引き抜き、ロープ９を引っ張ることにより高枝（竹）の幹を固定フック１と可動フック２とで噛み合わせ、挟着する。
【００３６】
次に、倒したい方向、すなわち道路の車線と平行な方向にロープ９で誘導し、引っ張った状態で、高木を根元から伐採する。作業後の状態を図３（Ｅ）に示す。
【００３７】
以上のように、本実施の形態によれば、高枝伐採補助具を用いて、伐採時に高木の倒れる方向を確実にして、安全性を高めることのできる高枝伐採を行うことができる。
【産業上の利用可能性】
【００３８】
本発明は、保守点検業務や交通管理隊の車に搭載し、倒木の恐れのある樹木、本線へ倒れ込んでいる竹等の早期伐採に好適に使用することができる。
【符号の説明】
【００３９】
１  固定フック
１ａ  第１鉤部
２  可動フック
２ａ  第２鉤部
３  支軸
４  長尺杆連結部
４ａ  ビス取り付け穴
４ｂ  Ｌ字状の溝
５  ロープ固定部
５ａ  ロープ固定穴
６  ロープ第１案内部
６ａ  ロープ通し穴
７  ロープ第２案内部
７ａ  ロープ通し穴
８  取付板
９  ロープ
９ａ  先端
９ｂ  握り部
１０  第１リンク
１１  第２リンク
１２  押え板
１３，１４，１５  ボルト
１６  回り込み防止片
１７  回り込み突起
１８  長尺杆
１９  ビス
２０  高枝
【図１】
2016073250.tif 000003
【図２】
2016073250.tif 000004
【図３】
2016073250.tif 000005